(57)【特許請求の範囲】
【請求項１】
複数の画像ファイルが記録された記録媒体から画像を読出して表示する画像表示装置であって、
上記記録媒体が画像ファイルを階層的なディレクトリ構造でもって記録しておくものであるとき、Ｎ個（Ｎは２以上の整数）のディレクトリからそれぞれＭ個（Ｍは２以上の整数）の画像ファイルを読出す読出し手段と、
該読出し手段によって読出されたＮ×Ｍ個の画像ファイルそれぞれの内容を示す縮小画像を表示画面上に二次元に配置してディレクトリ毎に当該ディレクトリ内の画像ファイルの個数を示す表紙を付加して表示すると共に、上記表紙及び上記Ｎ×Ｍ個の縮小画像の内の一つに操作対象であることを示すカーソルを表示する表示手段と、
上記カーソルの位置を記憶する第１のレジスタと、
上記二次元に配置して表示される上記Ｎ×Ｍ個の縮小画像の内の所定の一つが、上記記録媒体において最初のディレクトリから数えて幾つ目のディレクトリの、そのディレクトリ内の最初の画像ファイルから数えて幾つ目の画像ファイルに対応するものであるかを記憶する第２のレジスタと、
リモコンによるカーソル移動操作に応じて、上記第１のレジスタの記憶内容を更新することで上記表示手段に上記カーソルの表示位置を更新させると共に、上記カーソルが上記表示画面の端部に表示された縮小画像上で、リモコンにより画面外となる方向のカーソル移動操作がなされたときには、上記第１のレジスタの記憶内容の更新に代えて、上記第２のレジスタの記憶内容を更新することで、上記読出し手段及び表示手段により、上記カーソル移動方向に応じて１ディレクトリ又は１画像ファイルだけスクロールした新たなＮ×Ｍ個の縮小画像を上記表示画面に表示させ、また、上記カーソルが上記表紙上または上記縮小画像上で、リモコンにより画像回転操作がなされたときには、当該表紙に対応するＭ個の縮小画像全部または当該カーソル位置の縮小画像を９０度回転させて上記表示画面に表示させる制御手段と、
を具備することを特徴とする画像表示装置。
【請求項２】
上記表示手段は、当該ディレクトリに関して上記読出し手段で読出した上記Ｍ個の画像ファイルの縮小画像との対応関係が判別可能な状態で、上記二次元配置の一部に当該ディレクトリの名称を表示することを特徴とする請求項１に記載の画像表示装置。
【請求項３】
上記制御手段は、リモコンの所定の操作に応答して、
上記読出し手段に、上記二次元配置で表示した複数のディレクトリの内の一つに対応する上記Ｎ個の画像ファイル以外の画像ファイルの追加読出しを行わせ、
上記表示装置に、そのディレクトリ以外のディレクトリの画像ファイルの縮小画像に代えて、上記読出し手段で追加読出しした各画像ファイルの縮小画像を表示させる
ことを特徴とする請求項１に記載の画像表示装置。
【発明の詳細な説明】
【０００１】
【発明の属する技術分野】
本発明は、複数の画像ファイルが記録された記録媒体から画像を読出して表示する画像表示装置に関する。
【０００２】
【従来の技術】
従来より、デジタルカメラで撮影しメモリカード等の記録媒体に保存された画像ファイルや、イメージリーダで取り込んでハードディスクやＭＯディスク等の大容量の記録媒体に保存した画像ファイルを、パーソナルコンピュータ等のディスプレィに表示する画像表示装置が知られている。
【０００３】
このような画像ファイルの表示を行う際に、その画像のみを表示する一枚表示に加えて、複数の画像ファイルの内容を縮小画像により複数二次元配置して表示することで、一覧性を高めた表示を行えるようにした画像表示装置も、例えば、特開平１０−１６１８３７号公報や特開平１０−１６４４８４号公報等のように公知である。このような二次元配置による一覧表示は、複数の画像ファイルの中かから所望の画像ファイルを探すのに適している。
【０００４】
【発明が解決しようとする課題】
ところで、ハードディスクやＭＯディスク等の大容量の記録媒体は、通常、階層的なディレクトリ構造を持ち、多数の画像ファイルを複数のディレクトリに分けて保存することが一般的である。
【０００５】
しかしながら従来の画像表示装置は、複数の縮小画像を二次元配置して表示する際、一つのディレクトリ内の画像ファイルの内容を表示するよう構成されている。そのため、ユーザは、所望の画像ファイルがどのディレクトリに保存されているのかを知らないと、たとえ上記のような一覧表示を行ったとしても、容易には所望の画像ファイルを見つけ出すことができない。
【０００６】
本発明は、上記の点に鑑みてなされたもので、複数のディレクトリに分けて保存された複数ファイルの中から所望のファイルを容易に探し出せるような表示を行い得る画像表示装置を提供することを目的とする。
【０００７】
【課題を解決するための手段】
上記の目的を達成するために、請求項１に記載の発明による画像表示装置は、複数の画像ファイルが記録された記録媒体から画像を読出して表示する画像表示装置であって、
上記記録媒体が画像ファイルを階層的なディレクトリ構造でもって記録しておくものであるとき、Ｎ個（Ｎは２以上の整数）のディレクトリからそれぞれＭ個（Ｍは２以上の整数）の画像ファイルを読出す読出し手段と、
該読出し手段によって読出されたＮ×Ｍ個の画像ファイルそれぞれの内容を示す縮小画像を表示画面上に二次元に配置してディレクトリ毎に当該ディレクトリ内の画像ファイルの個数を示す表紙を付加して表示すると共に、上記表紙及び上記Ｎ×Ｍ個の縮小画像の内の一つに操作対象であることを示すカーソルを表示する表示手段と、
上記カーソルの位置を記憶する第１のレジスタと、
上記二次元に配置して表示される上記Ｎ×Ｍ個の縮小画像の内の所定の一つが、上記記録媒体において最初のディレクトリから数えて幾つ目のディレクトリの、そのディレクトリ内の最初の画像ファイルから数えて幾つ目の画像ファイルに対応するものであるかを記憶する第２のレジスタと、
リモコンによるカーソル移動操作に応じて、上記第１のレジスタの記憶内容を更新することで上記表示手段に上記カーソルの表示位置を更新させると共に、上記カーソルが上記表示画面の端部に表示された縮小画像上で、リモコンにより画面外となる方向のカーソル移動操作がなされたときには、上記第１のレジスタの記憶内容の更新に代えて、上記第２のレジスタの記憶内容を更新することで、上記読出し手段及び表示手段により、上記カーソル移動方向に応じて１ディレクトリ又は１画像ファイルだけスクロールした新たなＮ×Ｍ個の縮小画像を上記表示画面に表示させ、また、上記カーソルが上記表紙上または上記縮小画像上で、リモコンにより画像回転操作がなされたときには、当該表紙に対応するＭ個の縮小画像全部または当該カーソル位置の縮小画像を９０度回転させて上記表示画面に表示させる制御手段と、
を具備することを特徴とする。
【０００８】
即ち、請求項１に記載の発明の画像表示装置によれば、記録媒体のＮ個のディレクトリからそれぞれＭ個（Ｍは２以上の整数）の画像ファイルを読出して、このＮ×Ｍ個の画像ファイルそれぞれの縮小画像を二次元に配置してディレクトリ毎に当該ディレクトリ内の画像ファイルの個数を示す表紙を付加して表示するようにし、リモコンによるカーソル移動操作がなされた場合、それに応じて、第１のレジスタの記憶内容を更新することで上記表示手段にカーソルの表示位置を更新させる。また、上記カーソルが上記表示画面の端部に表示された縮小画像上で、リモコンにより画面外となる方向のカーソル移動操作がなされた場合には、上記第１のレジスタの記憶内容の更新に代えて、第２のレジスタの記憶内容を更新することで、そのカーソル移動方向に応じて１ディレクトリ又は１画像ファイルだけスクロールした新たなＮ×Ｍ個の縮小画像を上記表示画面に表示させ、また、上記カーソルが上記表紙上または上記縮小画像上で、リモコンにより画像回転操作がなされたときには、当該表紙に対応するＭ個の縮小画像全部または当該カーソル位置の縮小画像を９０度回転させて上記表示画面に表示させるようにしている。
【０００９】
また、請求項２に記載の発明による画像表示装置は、請求項１に記載の発明による画像表示装置において、上記表示手段が、当該ディレクトリに関して上記読出し手段で読出した上記Ｍ個の画像ファイルの縮小画像との対応関係が判別可能な状態で、上記二次元配置の一部に当該ディレクトリの名称を表示することを特徴とする。
【００１０】
即ち、請求項２に記載の発明の画像表示装置によれば、上記Ｍ個の画像ファイルの縮小画像との対応関係が判別可能な状態で、上記二次元配置の一部に当該ディレクトリの名称を表示するようにしている。
【００１１】
また、請求項３に記載の発明による画像表示装置は、請求項１に記載の発明による画像表示装置において、上記制御手段が、リモコンの所定の操作に応答して、上記読出し手段に、上記二次元配置で表示した複数のディレクトリの内の一つに対応する上記Ｎ個の画像ファイル以外の画像ファイルの追加読出しを行わせ、
上記表示装置に、そのディレクトリ以外のディレクトリの画像ファイルの縮小画像に代えて、上記読出し手段で追加読出しした各画像ファイルの縮小画像を表示させる
ことを特徴とする。
【００１２】
即ち、請求項３に記載の発明の画像表示装置によれば、リモコンの所定の操作に応答して、上記二次元配置で表示した複数のディレクトリの内の一つに対応する上記Ｎ個の画像ファイル以外の画像ファイルの追加読出しを行って、そのディレクトリ以外のディレクトリの画像ファイルの縮小画像に代えて、これら追加読出しした各画像ファイルの縮小画像を表示するようにしている。
【００１３】
【発明の実施の形態】
以下、本発明の実施の形態を図面を参照して説明する。
図１は、本発明のディジタル画像編集装置を適用したディジタル画像編集システムの構成を示す図である。本編集システムの基本構成として、ディジタル画像編集装置７にディジタルカメラ１またはスマートメディアやコンパクトフラッシュカードなどの記録媒体（以下ではメモリカードと呼ぶ）２と、テレビ４とが接続される。なお、ここではディジタルカメラ１に内蔵されているメモリも記録媒体に含めるものとする。この構成によって、ディジタルカメラ１で撮影した画像あるいはメモリカード２に記録した画像をディジタル画像編集装置７の制御のもとに短時間（ここでは５秒前後）で自動的にテレビ４の画面に表示することができる。この場合、表示する画像の指定や画像の編集はリモコン３を操作することにより行なわれる。
【００１４】
上記した基本構成にさらにＳＣＳＩなどのインタフェースを介して電子アルバム装置５をディジタル画像編集装置７に接続した構成も可能である。電子アルバム装置５の記録媒体としてはＭＯディスク、ＰＤ、ＺＩＰディスクなどを用いることができる。この構成によって、ディジタルカメラ１で撮影した画像やメモリカード２に記録した画像をテレビ４の画面に表示させた後、リモコン３を操作して電子アルバム装置５に一括あるいは分割してフォルダの形態で保存することができる。逆に、電子アルバム装置５に保存した画像をディジタルカメラ１やメモリカード２に記録することができる。また、リモコン３の操作により電子アルバム装置５に保存した画像をテレビ４の画面に表示させて画像の指定や画像の編集を行なうことができる。また、また、電子アルバム装置５が複数台接続されている場合には電子アルバム装置５から他の電子アルバム装置に画像を転送して保存することができる。さらに、電子アルバム装置５に保存した画像をパーソナルコンピュータに転送して表示させることも可能である。
【００１５】
上記した基本構成、あるいは、上記した基本構成に電子アルバム装置５を加えた構成、に加えてさらにシリアル、ＳＣＳＩ、あるいはパラレルインタフェースを介してプリンタ６をディジタル画像編集装置７に接続した構成も可能である。この構成によって、ディジタルカメラ１、メモリカード２、あるいは電子アルバム装置５に記録した画像を適宜読み出してテレビ４に表示させ、リモコン３からの指令によりこの画像をプリンタ６により印刷することができる。
【００１６】
図２（Ａ）、（Ｂ）は上記したディジタル画像編集装置７の外観斜視図であり、（Ａ）は前面を示し、（Ｂ）は背面のようすを示している。図２（Ａ）に示すように、ディジタル画像編集装置７の前面には、ディジタルカメラ１を接続するための接続コネクタ１０、リモコン３からの赤外線を受光するリモコン受光口１１、メモリカード２が挿入されたことを認識する認識ランプ１２、メモリカード２を取り出すためのイジェクトボタン１３、メモリカード２用のドライブ１４、電源ランプ１５、電源スイッチ１６が設けられている。
【００１７】
また、図２（Ｂ）に示すように、ディジタル画像編集装置７の背面には、テレビ４を接続するためのビデオ出力端子２０、ＳＣＳＩインタフェースを識別するためのＩＤ１（２１−１）、ＩＤ２（２１−２）、電子アルバム装置５を接続するためのＭＯドライブ接続部２２、プリンタ６を接続するためのプリンタ接続用コネクタ２３、外部電源を装置内部に供給するためのＤＣ端子２４が設けられている。
【００１８】
図３は上記したディジタル画像編集装置７の内部構成を示す機能ブロック図である。ＣＰＵ３４には、リモコン受光口１１が接続された赤外線リモコン受信部３０と、接続コネクタ（シリアルコネクタ）１０が接続されたシリアルドライバ３１と、プリンタ接続用コネクタ２３が接続されたシリアルドライバ３２と、ＤＣ端子２４が接続された電源供給ユニット３３とが接続されている。
【００１９】
さらにＣＰＵ３４には、バス４１を介して画像編集用のソフトウェアが格納されたＲＯＭ３５と、画像データを一時的に蓄えるためのＲＡＭ３７と、画像データをＪＰＥＧ方式で伸長するためのＪＰＥＧ伸長ＩＣ３６と、ＭＯドライブ接続部（ＳＣＳＩ端子）２２が接続されたＳＣＳＩコントローラ３９と、ビデオ出力端子２０が接続されたビデオコントローラ４０と、メモリカードインタフェース３８とが接続されている。電源スイッチ１６がＯＮされると電源供給ユニット３３によりＣＰＵ３４に電源が供給される。また、電源スイッチ１６がＯＦＦされた場合にはソフトウェアにより電源の供給を停止するタイミングが判断されてＣＰＵ３４により電源供給の停止を許可する信号が電源供給ユニット３３に送られる。
【００２０】
図４はメモリカード２または電子アルバム装置５に挿入されたＭＯディスク５−１に記録された画像データが読み出されてテレビ４の画面に表示されるまでの過程を示す図である。メモリカード２に記録された画像データは物理ページデータ５１としてメモリカードポート５０（メモリカードインタフェース３８）を介してＣＰＵ３４に取り込まれる。この物理ページデータに対してＥＣＣを計算することによるエラー修正等が行なわれマッピングにより論理セクタデータに変換（５２）される。この論理セクタデータは圧縮されてＪＰＥＧ伸長ＩＣ３６に送られて伸長処理５４が施された後、再びＣＰＵ３４に取り込まれてＪＰＥＧの画像処理単位であるＭＣＵ（ミニマムコーディングユニット）に分割される（５５）。このＭＣＵ単位の画像データはＲＡＭ３７に一時的に保管される。次にＭＣＵ単位の画像データにおける輝度と色信号をＹＵＶ表示系からテレビ表示可能なＲＧＢ表示系に変換するとともに、表示画面の縮小や回転処理を施して描画データが生成される（５６）。この描画データはビデオコントローラ（ＶＤＰ）４０のＶＲＡＭに取り込まれ（５７）、ビデオ出力端子２０から出力されてテレビ４の画面に表示される。
【００２１】
以上はメモリカード２の画像データを表示する場合について述べたが、ＭＯディスク５−１に記憶された画像データを読み出して表示する場合は、電子アルバム装置５内でエラー修正等が行われた後、ＳＰＣ（ＳＣＳＩプロトコルコントローラ）５３（ＳＣＳＩコントローラ３９）を介してＣＰＵ３４に取り込まれて論理セクタデータへの変換が行なわれる。以降の処理はメモリカード２の場合と全く同様の処理となる。
【００２２】
また、メモリカード２やＭＯディスク５−１に画像データを記録する処理はブロック６０内で行われるが、このときの処理の流れは読み出すときの処理と全く逆になる。
【００２３】
図５は上記したリモコン３に設けられた各種のボタンを示す図である。参照符号７０−１〜７０−４で示すボタンはカーソルの移動やメニューの選択などに用いられる。参照符号７１で示すボタンは表示する画像やメニューの確定などを行なうためのＯＫボタンである。参照符号７２は一つ前の画面に戻るために用いられる。また、動作をいったん取りやめるためにも用いられる。参照符号７３−１，７３−２で示すボタンは表示している画像のコマ送りや、メモリカード／ディジタルカメラ／ＭＯディスクドライブ間の画面の切り換えを行なうときに用いられる。また、参照符号７４−１、７４−２で示すボタンは画像の１枚表示とインデックス表示用として用いられる。すなわち、７４−１は１枚表示のときには表示した画像を縮小して１６分割に表示したり、拡大した画像を元の大きさに戻す。インデックス表示のときにはカットした画像を挿入するのに用いられる。また、７４−２は１枚表示のときには表示した画像を拡大したり、縮小した画像を元の大きさに戻すために用いられる。インデックス表示の場合には移動、コピー、削除する画像を選択（カット）するのに用いられる。参照符号７５で示すボタンはメニューボタンであり、メニューの表示を行なうために用いられる。参照符号７６で示すボタンは表示した画像を時計回りに９０度単位で回転させるために用いるものである。
【００２４】
図６は上記したリモコン３をテレビ操作用のリモコン８０の裏面に両面テープなどにより貼り合わせた状態を示す図である。リモコン３は単独で操作することもできるが、図６に示すようにテレビ操作用のリモコン８０の裏面に両面テープなどで貼り合わせることにより一体化してもよい。このようにすることにより比較的小型のリモコン３をユーザが紛失してしまうのを防止することができる。
【００２５】
次に、以上のような構成のディジタル画像編集システムにおける画像編集装置７の動作をより詳細に説明する。
電源ＳＷ１６がオン操作されてＣＰＵ３４に電源が供給されると、ＣＰＵ３４は、ＲＯＭ３５に記憶された図７（Ａ）に示すような画像編集用ソフトウェアに従った動作を開始する。
【００２６】
即ち、まず、図７（Ｂ）に示すようにテレビ４の画面の左下にディジタルカメラ（デジカメ）１のアイコン２０１、メモリカード２のアイコン２０２、ＭＯディスク５−１のアイコン２０３を、タグ形式で表示する（ステップＳ１）。そして、接続されている機器，媒体を検出する（ステップＳ２）。
【００２７】
ここで、デジタルカメラ１が接続されていた場合には（ステップＳ３）、デジタルカメラ処理を行い（ステップＳ４）、メモリカード２が挿入されていた場合には（ステップＳ５）、メモリカード処理を行う（ステップＳ６）。また、ＭＯディスク５−１が電子アルバム装置５としてのＭＯドライブに挿入されていた場合には（ステップＳ７）、ＭＯ処理を行う（ステップＳ８）。そして、これらデジタルカメラ処理，メモリカード処理，ＭＯ処理終了後は、上記ステップＳ２に戻ることで、媒体の交換に対処することができるようになっている。
【００２８】
上記ステップＳ４でのデジタルカメラ処理及びステップＳ６でのメモリカード処理は、図８に示すようにして行われる。
即ち、まず、デジタルカメラ１又はメモリカード２内の画像データを取得してＲＡＭ３７に格納する（ステップＳ１１）。そして、取得した画像データにサムネイル情報が含まれているかどうか判別し（ステップＳ１２）、含まれていれば、そのサムネイル情報によって図９（Ａ）又は（Ｂ）に示すようなインデックス表示を行う（ステップＳ１３）。
【００２９】
このとき、テレビ４の画面上においては、上記アイコン２０１〜２０３が下方から上方に向けて移動しはじめ、それにつれて縮小画像が行毎に表示されていく。また、現在の表示画像がどの媒体に記憶されているものかを示すために、対応するアイコンが識別表示される。例えば、デジタルカメラ１のアイコン２０１においては、レンズカバーが開いた状態の絵柄に変化し（図９（Ａ））、メモリカード２のアイコン２０２では、媒体が傾いた状態の絵柄に変化する（図９（Ｂ））。その他、色や濃度を変えることで識別表示できる。
【００３０】
なお、このインデックス表示においては、所定位置（図９（Ａ）では左端位置）に、当該機器又は媒体に収録されている画像の枚数（上記ステップＳ１１において枚数を検出しておく）と１枚目の画像の日付とが表紙２０３として表示される。よって、インデックス表示においては、最大１９枚の縮小画像が表示される。１９枚以上の画像が収録されている場合には、リモコン３の移動ボタン７０−１〜７０−４の操作によりカーソル（赤枠で示される）２０４を画面下端の位置の画像位置まで移動させた後、更に下移動ボタン７０−４を操作することで、次の５枚の縮小画像を表示できるようになっている。このとき、表紙２０３はそのままに、１枚目から５枚目までの縮小画像の表示が消去されて、６枚目乃至１９枚目の縮小画像がそれぞれ５枚分移動される。
【００３１】
なお、表紙に１枚目の画像の日付を表示する理由は、全ての縮小画像について日付を表示したのでは、縮小画像自体が見にくくなり、しかし全く日付を表示しないのでは、それらの画像がどのようなものであるのか推定しにくくなるため、代表の駒の日付だけでも表示しておくことで、どちらの問題も回避できるようにしたことによる。
【００３２】
また、上記のようにアイコンが上方に移動するとき、上記ステップＳ２でのチェックにおいて接続又は挿入されていない機器，媒体のアイコンは元の左下の位置に残される。従って、もしＭＯドライブが接続されていない（ＭＯディスク５−１が挿入されていない）ならば、図９（Ｃ）に示すように、デジタルカメラ１のアイコン２０１とメモリカード２のアイコン２０２のみが上方に移動する。
【００３３】
さらに、全ての機器，媒体が接続又は挿入されている場合には、前述したように、全てのアイコン２００〜２０２が左上位置まで移動されるものであるが、インデックス表示されるのは所定の或いはユーザが選択したアイコンに対応する機器，媒体に保存されている画像であり、その他の機器，媒体の画像は、そのアクティブなインデックス表示された画像の後側に隠れるので見えない（実際には、機器，媒体の選択に応じて切換え表示される）。また、媒体の交換等によって画像内容が更新されたときには、その媒体の画像に対応する縮小画像がアクティブなインデックス表示として切換え表示されることになる。
【００３４】
一方、上記ステップＳ１２において、サムネイル情報が含まれていないと判断した場合には、取得した各画像データより縮小画像を作成して（ステップＳ１４）、インデックス表示を行う（ステップＳ１５）。
【００３５】
その後、カーソル２０４がインデックス表示中の表紙２０３の位置にあるかどうかを判別する（ステップＳ１６）。そして、表紙位置にカーソル２０４が有れば、詳細は後述するようなリモコン操作処理１を行った後（ステップＳ１７）、上位のルーチンに戻る。
【００３６】
また、上記ステップＳ１６で、カーソル２０４が表紙位置に無いと判断された場合には、更に、カーソル２０４が一枚の縮小画像の位置に有るかどうか判断する（ステップＳ１８）。カーソル２０４は、表紙位置又は何れかの縮小画像位置に無ければならないため、これらの位置にも無いときにはエラー処理に進む。
【００３７】
カーソル２０４が一枚の縮小画像の位置に有れば、リモコン３のＯＫボタン７１が操作されるのを待って（ステップＳ１９）、その縮小画像に対応する一枚画像をテレビ４の画面に全画面表示する（ステップＳ２０）。そして、詳細は後述するようなリモコン操作処理２を行う（ステップＳ２１）。その後、元のインデックス表示に戻して（ステップＳ２２）、上位のルーチンに戻る。
【００３８】
上記ステップＳ１７のリモコン操作処理１は、図１０に示すようにして行われる。
即ち、リモコン３のカットボタン７４−２が操作されると（ステップＳ３１）、表示されている全ての縮小画像にマークが付加される（ステップＳ３２）。これは、特に図示はしないが、画像内に「マーク」という文字が表示される。なお、このマークは、もう一度カットボタン７４−２を操作することで取り消すことができる。そして、リモコン３のメニューボタン７５のオンを待って（ステップＳ３３）、図示しないメニューを表示してＭＯディスク５−１へのコピー又はプリンタ６でのプリントの何れを行うかの選択を受け付けて、何れが選択されたか判断する（ステップＳ３４）。ＭＯディスク５−１へのコピーであれば、上記マークの付された全縮小画像に対応するＲＡＭ３７に記憶された画像をＭＯディスク５−１へコピーして（ステップＳ３５）、上位のルーチンへ戻る。また、プリントであれば、上記マークの付された全縮小画像に対応するＲＡＭ３７に記憶された画像をプリンタ６でプリントした後（ステップＳ３６）、上位のルーチンへ戻る。なお、上記ステップＳ３２では、表示されている画像に対してマークを付すものとしたが、その表紙に対応する、表示されていない画像も含めた、全ての画像に対してマークを付すものとしても良いことは勿論である（以下、同様）。
【００３９】
また、リモコン３の画像回転ボタン７６が操作された場合には（ステップＳ３７）、表示されている全ての縮小画像を９０度時計回りに回転表示した後（ステップＳ３８）、上位のルーチンへ戻る。なおこのとき、それら縮小画像に対応するＲＡＭ３７に記憶された画像そのものは回転されず、当該画像に対応する方向を示すパラメータを変更する。この回転方向に関するパラメータは、例えば、ファイル名が「ＰＩＣ０００１．ＪＰＧ」であったとき、９０度回転であればファイル名の最後に「Ａ」を付加して「ＰＩＣ０００１Ａ．ＪＰＧ」とするというような、所定の符号化手法により、当該画像ファイルのファイル名に組み込まれる。従って、上記ステップＳ１３やＳ１５でインデックス表示を行う際には、この画像ファイルのファイル名に組み込まれたパラメータを復号化して、そのパラメータに応じた表示を行う。後述する他のパラメータに関しても、これと同様である。
【００４０】
また、リモコン３のメニューボタン７５が操作された場合には（ステップＳ３９）、詳細は後述するようなメニュー処理１を実行した後（ステップＳ４０）、上位のルーチンへ戻る。
【００４１】
そして、リモコン３のＯＫボタン７１が操作された場合には（ステップＳ４１）、アルバム表示処理を行って（ステップＳ４２）、上位のルーチンへ戻る。このアルバム表示処理においては、図９（Ｄ）に示すように、アルバムの台紙状の背景画像上に、縮小画像を４枚ずつ表示するものである。
【００４２】
また、上記カットボタン７４−２，画像回転ボタン７６，メニューボタン７５，ＯＫボタン７１が操作されなかったときには、上位のルーチンに戻る。
上記メニューボタン７５操作に応じたステップＳ４０でのメニュー処理１においては、まず、図示しない所定のメニュー画面を表示して、リモコンの移動ボタン７０−１〜７０−４の操作及びＯＫボタン７１操作によるメニュー選択を受け付ける。そして、その選択されたメニューに応じた処理を行うものである。
【００４３】
即ち、図１１（Ａ）に示すように、スライドショーが選択された場合には（ステップＳ５１）、所定時間毎に画像を順次一枚ずつ全画面表示していくスライドショーを実行する（ステップＳ５２）。
【００４４】
また、日付表示が選択された場合には（ステップＳ５３）、各縮小画像に日付を表示し（ステップＳ５４）、時刻表示が選択された場合には（ステップＳ５５）、各縮小画像に時刻を表示する（ステップＳ５６）。ここで、日付及び時刻の情報は、パラメータの一つとして対応する各画像データのファイル名に符号化されて付加されてる。通常は、撮影日時のデータである。
【００４５】
そして、上記スライドショー，日付表示，時刻表示が選択されていない場合には、つまりプリントが選択されたときであるので、表示している全縮小画像を１枚の用紙にインデックスプリントを行って（ステップＳ５７）、上位のルーチンに戻る。
【００４６】
次に、画像一枚の全画像表示時の上記ステップＳ２１でのリモコン操作処理２について、図１２のフローチャートを参照して説明する。
即ち、リモコン３の画像回転ボタン７６が操作された場合には（ステップＳ６１）、表示されている画像を９０度時計回りに回転表示した後（ステップＳ３６２）、上位のルーチンへ戻る。なおこのとき、前述したように、ＲＡＭ３７に記憶された画像そのものは回転されず、当該画像に対応する方向を示すパラメータを変更するものである。
【００４７】
また、リモコン３のメニューボタン７５が操作された場合には（ステップＳ６３）、詳細は後述するようなメニュー処理２を実行した後（ステップＳ６４）、上位のルーチンへ戻る。
【００４８】
リモコン３の送りボタン７３−１，７３−２が操作された場合には（ステップＳ６５）、現在一枚表示している画像の前画像或いは後画像を一枚全画面表示する（ステップＳ６６）。その後、上位のルーチンへ戻る。
【００４９】
リモコン３のズームボタン７４−１，７４−２が操作された場合には（ステップＳ６７）、拡大／縮小処理を行って、その画像を拡大表示又は縮小表示する（ステップＳ６８）。そして、上位のルーチンへ戻る。
【００５０】
リモコン３の移動ボタン７０−１〜７０−４が操作された場合には（ステップＳ６９）、表示部分の移動を行う（ステップＳ７０）。即ち、拡大表示された画像は、元画像の一部しか表示していないので、移動ボタンの操作に応じて、その方向の部分を表示する。その後、上位のルーチンへ戻る。
【００５１】
そして、リモコン３の戻るボタン７２の操作を判定する（ステップＳ７１）。それが操作されなければ上記ステップＳ６１に戻り、それが操作されたときには、上位のルーチンに戻る。
【００５２】
上記メニューボタン７５操作に応じたステップＳ６４でのメニュー処理２においては、まず、図示しない所定のメニュー画面（上記メニュー処理１でのメニュー画面とはいくつかメニューが異なっている）を表示して、リモコンの移動ボタン７０−１〜７０−４の操作及びＯＫボタン７１操作によるメニュー選択を受け付ける。そして、その選択されたメニューに応じて、図１１（Ｂ）に示すような処理を行う。この図１１（Ｂ）は、簡略化のため、図１１（Ａ）と同様の部分については省略してある。即ち、該メニュー処理２では、ステップＳ５１乃至ステップＳ５６は上記メニュー処理１と同様である。但しこの場合は、日付及び時刻の表示は、当該一枚表示された画像についてのみ行われる。
【００５３】
そして、上記スライドショー，日付表示，時刻表示が選択されていない場合には、次に、色補正が選択されたかどうか判定する（ステップＳ５８）。色補正が選択された場合には、色補正処理を行って（ステップＳ５９）、上位のルーチンに戻るようにしている。また、色補正が選択されなかった場合には、プリントが選択されたことであるので、表示している当該画像をプリントして（ステップＳ５７）、上位のルーチンに戻る。
【００５４】
次に、上記ステップＳ８でのＭＯ処理について、図１３のフローチャートを参照して説明する。
即ち、まず、ＭＯディスク５−１内の画像データを取得してＲＡＭ３７に格納する（ステップＳ８１）。このとき、ＭＯディスク５−１には、複数のディレクトリを設けることができ、それぞれに画像データが複数保存されることができるので、ここでは、最初の４つのディレクトリからそれぞれ最初の４枚分の画像を取り出す。また、各ディレクトリの画像ファイル数を検出しておく。そして、これら取得した各画像データより縮小画像を作成して、一つのフォルダを一行としてそれらを表示することで、図１４（Ａ）に示すようなマルチインデックス表示を行う（ステップＳ８２）。
【００５５】
ここで、デフォルトとして該ＭＯディスクが指定されているときには、前述したように、上記アイコン２０１〜２０３が下方から上方に向けて競り上がっていき、それにつれて縮小画像が行毎に表示されていくことになる。また、デフォルトとしてデジタルカメラ１やメモリカード２が指定されているときには、マルチインデックス表示は、それらデジタルカメラ１又はメモリカード２の内容を示すインデックス表示の後ろに隠れるため、表示はされない。従って、このマルチインデックス表示は、リモコン３の送りボタン７３−１，７３−２の操作によってＭＯディスク５−１が選択されたときに初めて作成するものとしても良いが、ここでは、上記ステップＳ４でのデジタルカメラ処理やステップＳ６でのメモリカード処理に続けて、ここで表示データを作成してメモリしておくものとする。また、ＭＯディスク５−１が交換された場合においては、その交換に応じて、デジタルカメラ１又はメモリカード２のインデックス表示から自動的に、このＭＯディスク５−１のマルチインデックス表示に切換えられるものとする（同様に、メモリカード２が交換された場合においては、その交換に応じて、デジタルカメラ１のインデックス表示やＭＯディスク５−１のマルチインデックス表示から自動的にメモリカード２のインデックス表示に切換えられる）。
【００５６】
なお、このマルチインデックス表示においても、各行の所定位置（図１４（Ａ）では左端位置）に、当該ディレクトリの名称と共に、該ディレクトリに収録されている画像の枚数と１枚目の画像の日付とが表紙２０３として表示される。また、このマルチインデックス表示においては、４つのディレクトリの縮小画像が表示されるが、それ以上のディレクトリが存在する場合には、リモコン３の移動ボタン７０−１〜７０−４の操作によりカーソル２０４を画面下端の位置の画像位置まで移動させた後、更に下移動ボタン７０−４を操作することで、次のディレクトリの画像を読出して縮小画像を表示できるようになっている。このとき、一番上の行の表示は消去されて、２行目乃至４行目の縮小画像がそれぞれ一行分上に移動される。このようなカーソル移動及びスクロール表示の詳細については後述する。
【００５７】
こうしてマルチインデックス表示がなされた後、カーソル２０４がマルチインデックス表示中の何れかの表紙２０３の位置にあるかどうかを判別する（ステップＳ８３）。そして、カーソル２０４が表紙位置に無い、即ち一枚の縮小画像の位置に有るある場合には、リモコン３のＯＫボタン７１が操作されるのを待って（ステップＳ８４）、その縮小画像に対応する一枚画像をテレビ４の画面に全画面表示する（ステップＳ８５）。そして、前述したようなリモコン操作処理２を行う（ステップＳ８６）。その後、元のマルチインデックス表示に戻して（ステップＳ８７）、上記ステップＳ８３に戻る。
【００５８】
これに対して、カーソル２０４が何れかの表紙２０３の位置にある場合には、次に、リモコン３のＯＫボタン７１が操作されたかどうか判断する（ステップＳ８８）。ＯＫボタン７１が操作された場合には、図１４の（Ａ）に示すように、当該表紙に対応するディレクトリの内容をインデックス表示し（ステップＳ８９）、該インデックス表示において、前述したようなリモコン操作処理１が実行されることができる（ステップＳ９０）。その後、上記ステップＳ８３に戻る。
【００５９】
また、ＯＫボタン７１が操作されなかった場合には、次に、リモコン３の画像回転ボタン７６が操作されたかどうか判断する（ステップＳ９１）。そして、その画像回転ボタン７６が操作されたときには、当該表紙に対応する全縮小画像及び対応ディレクトリ内全画像ファイルを回転した後（ステップＳ９２）、上記ステップＳ８３に戻る。なお、この場合も、前述したように、画像そのものではなくて、パラメータのみが変更される。
【００６０】
画像回転ボタン７６が操作されなかった場合には、次に、リモコン３のカットボタン７４−２が操作されたかどうか判断する（ステップＳ９３）。そして、そのカットボタン７４−２が操作されたときには、当該表紙に対応する全縮小画像にマークを付加した後（ステップＳ９４）、上記ステップＳ８３に戻る。
【００６１】
カットボタン７４−２が操作されなかった場合には、次に、リモコン３のメニューボタン７５が操作されたかどうか判断する（ステップＳ９５）。そして、そのメニューボタン７５が操作されたときには、以下のようなメニュー操作処理を行った後（ステップＳ９６）、上記ステップＳ８３に戻る。また、このメニューボタン７５も操作されなかったときには、上位のルーチンに戻る。
【００６２】
上記ステップＳ９６のメニュー操作処理においては、図１４（Ｃ）に示すように、まず、マークが何れかの縮小画像に対して付加されているかどうかを判断し（ステップＳ１０１）、マークが付加されていない場合には、前述したようなメニュー処理１を行ってから（ステップＳ１０２）、上位のルーチンに戻る。
【００６３】
これに対して、何れかの縮小画像にマークが付加されていた場合には、図示しない所定のメニュー画面（上記メニュー処理１又は２でのメニュー画面とはいくつかメニューが異なっている）を表示して、リモコンの移動ボタン７０−１〜７０−４の操作及びＯＫボタン７１操作によるメニュー選択を受け付ける。そして、その選択されたメニューがコピーであれば（ステップＳ１０３）、マークが付加された画像のコピーを行って（ステップＳ１０４）、上位のルーチンに戻る。
【００６４】
ここで、コピー動作は、リモコンの移動ボタン７０−１〜７０−４の操作及びＯＫボタン７１操作により、コピーしたい位置のディレクトリと画像位置（マルチインデックス表示上のＸ，Ｙ座標）を指定することで、マークが付加された縮小画像がその位置に表示され、また、対応する画像ファイルがＭＯディスク５−１上でコピーされるものである。この場合、コピーによってコピー先のディレクトリ内の画像ファイルの並び順番が変わるので、コピー先の位置の画像以降のファイル名が変更される。これは、画像の順番もパラメータの一つとして符号化されてファイル名に組み込まれるからである。
【００６５】
また、上記ステップＳ１０３でコピーではない判断されたときには、次に、選択されたメニューは削除であるかどうかを判定する（ステップＳ１０５）。削除が選択されたときには、マークが付加された画像の削除を行って（ステップＳ１０６）、上位のルーチンに戻る。この場合も、上記コピーの場合と同様に、ＭＯディスク５−１上の対応画像ファイルが削除されて、それ以外の画像ファイルのファイル名が適宜変更される。
【００６６】
そして、削除でもない場合には、プリントが選択されたということであるので、マークが付加された縮小画像をインデックスプリントした後（ステップＳ１０７）、上位のルーチンに戻る。
【００６７】
次に、本発明の特徴である上記マルチインデックス表示について、より詳細に説明する。
パーソナルコンピュータの外部記憶装置としても利用される大容量の記憶装置であるＭＯディスク５−１においては、例えば、図１５に示すようなディレクトリ構造で、画像ファイルを格納する。ここで、ディレクトリ「ＳＵＢ  Ａ」が、上記ディジタル画像編集装置７によって取り扱われるディレクトリであり、そこに、デジタルカメラ１やメモリカード２から取り込まれた画像ファイルが、１媒体１ディレクトリの関係で記憶されるようになっている。
【００６８】
勿論、必ずしもこのようなディレクトリ・ファイル関係である必要はなく、ディレクトリ名，ファイル名が不連続の場合もあり得るし、ディレクトリ名，ファイル名が昇順であるとも限らない。また、ディレクトリ「ＳＵＢ  Ａ」が、ルート（ＲＯＯＴ）直下とも限らない。
【００６９】
上記の例のようなディレクトリ構造を持つＭＯディスク５−１から画像を読出してマルチインデックス表示を行う場合、上記ステップＳ８１及びＳ８２の処理は、図１６及び図１７に示すようにして行われる。
【００７０】
即ち、まず、ＣＰＵ３４又はＲＡＭ３７に設けた図示しないレジスタａ，ｂ，ｃｘ，ｃｙをそれぞれ「０」に初期設定する（ステップＳ１１１）。その後、ＣＰＵ３４又はＲＡＭ３７に設けた図示しないレジスタｙに「１」をセットし（ステップＳ１１２）、更にＣＰＵ３４又はＲＡＭ３７に設けた図示しないレジスタｘに「０」をセットする（ステップＳ１１３）。ここで、レジスタａ及びｂの値はスクロールのオフセットを示し、レジスタｃｘ及びｃｙの値はカーソル２０４の座標を示す。また、レジスタｘ及びｙの値は、図１８に示すような駒（縮小画像）座標を表す。
【００７１】
こうして各レジスタの設定終了後、レジスタｙ及びａの値より（ｙ＋ａ）を算出し、その（ｙ＋ａ）番目のディレクトリを探索する（ステップＳ１１４）。そして、ディレクトリが有るかどうか判断し（ステップＳ１１５）、ディレクトリが無ければ、後述するステップＳ１２６に進む。
【００７２】
ディレクトリが有った場合には、レジスタｘの値が「０」かどうか判断する（ステップＳ１１６）。そうであった場合には、レジスタｘ及びｙの値に基づき、座表（ｘ＊ｎ，（ｙ−１）＊ｍ）に、ディレクトリを示す絵、つまり表紙２０３を描画する（ステップＳ１１８）。なおここで、ｎ及びｍは一駒の大きさを表している。そして、レジスタｘの値を「１」インクリメントし（ステップＳ１１９）、その結果が「３」以下であるかどうか、つまり画面内かどうか判断する（ステップＳ１２０）。「３」以下であれば上記ステップＳ１１４に戻り、「３」よりも大きい値となっている場合には後述するステップＳ１２４に進む。
【００７３】
そして、上記ステップＳ１１６で、レジスタｘの値が「０」でないと判断された場合には、レジスタｘ及びｂの値より（ｘ＋ｂ）を算出し、その値を用いて、上記（ｙ＋ａ）番目のディレクトリの中で（ｘ＋ｂ）番目のファイルを探索する（ステップＳ１２０）。そして、ファイルの有無を判別し（ステップＳ１２１）、ファイルが有れば、そのファイルを読出して、座標（ｘ＊ｎ，（ｙ−１）＊ｍ）にその縮小画像を表示した後（ステップＳ１２２）、上記ステップＳ１１８に進む。
【００７４】
こうして、上記ステップＳ１１９でレジスタｘの値が「３」より大きくなったと判断された場合、即ち当該ディレクトリの３枚目の画像を表示し終えた場合、あるいは、上記ステップＳ１２１でファイルが無いと判断された場合には、次に、レジスタｙの値を「１」インクリメントし（ステップＳ１２３）、その結果が「４」以下であるかどうか、つまり画面内かどうか判断する（ステップＳ１２４）。「４」以下であれば上記ステップＳ１１３に戻る。即ち、次のディレクトリについて、上記と同様の処理を行う。
【００７５】
そして、上記ステップＳ１１５でディレクトリが無いと判断された場合、あるいは、上記ステップＳ１２４においてレジスタｙの値が「４」よりも大きい値となったと判断された場合には、カーソル（赤枠）２０４を、レジスタｃｘ及びｃｙの値で示される座標（ｃｘ，ｃｙ）、つまり最初のディレクトリの表紙２０３の位置に表示する（ステップＳ１２５）。その後、リモコン３の入力待ちとなる（ステップＳ１２６）。
【００７６】
そして、リモコン３の左移動ボタン７−１が操作されたならば（ステップＳ１２７）、そのときのレジスタｃｘの値が「０」かどうか即ち左端にカーソル２０４が表示されているかどうかを判断し（ステップＳ１２８）、そうでなければ、レジスタｃｘの値を「１」デクリメントすることでカーソル２０４を一つ左の縮小画像の位置に移動して（ステップＳ１２９）、上記ステップＳ１２６に戻る。これに対して、レジスタｃｘの値が「０」の場合には、レジスタａの値を「１」デクリメントした後（ステップＳ１３０）、上記ステップＳ１１２に戻って、上記の処理を繰り返すことで、左に一つスクロール表示する。
【００７７】
また、リモコン３の右移動ボタン７−２が操作されたならば（ステップＳ１３１）、そのときのレジスタｃｘの値が「３」かどうか即ち右端にカーソル２０４が表示されているかどうかを判断し（ステップＳ１３２）、そうでなければ、レジスタｃｘの値を「１」インクリメントすることでカーソル２０４を一つ右の縮小画像の位置に移動して（ステップＳ１３３）、上記ステップＳ１２６に戻る。これに対して、レジスタｃｘの値が「３」の場合には、レジスタａの値を「１」インクリメントした後（ステップＳ１３４）、上記ステップＳ１１２に戻って、上記の処理を繰り返すことで、右に一つスクロール表示する。
【００７８】
リモコン３の上移動ボタン７−３が操作されたならば（ステップＳ１３５）、そのときのレジスタｃｙの値が「１」かどうか即ち上端にカーソル２０４が表示されているかどうかを判断し（ステップＳ１３６）、そうでなければ、レジスタｃｙの値を「１」デクリメントすることでカーソル２０４を一つ上の縮小画像の位置に移動して（ステップＳ１３７）、上記ステップＳ１２６に戻る。これに対して、レジスタｃｙの値が「１」の場合には、レジスタｂの値を「１」デクリメントした後（ステップＳ１３８）、上記ステップＳ１１２に戻って、上記の処理を繰り返すことで、上に一つスクロール表示する。
【００７９】
また、リモコン３の下移動ボタン７−４が操作されたならば（ステップＳ１３９）、そのときのレジスタｃｙの値が「４」かどうか即ち下端にカーソル２０４が表示されているかどうかを判断し（ステップＳ１４０）、そうでなければ、レジスタｃｙの値を「１」インクリメントすることでカーソル２０４を一つ下の縮小画像の位置に移動して（ステップＳ１４１）、上記ステップＳ１２６に戻る。これに対して、レジスタｃｙの値が「４」の場合には、レジスタｂの値を「１」インクリメントした後（ステップＳ１４２）、上記ステップＳ１１２に戻って、上記の処理を繰り返すことで、下に一つスクロール表示する。
【００８０】
そして、その他のキーが操作避けた場合には（ステップＳ１４３）、上位のルーチンに戻る。即ち、上記ステップＳ８３に進み、カーソル２０４の位置つまりレジスタｃｘ及びｃｙの値で示される座標（ｃｘ，ｃｙ）が表紙位置かどうかを判別することになる。そして、前述したように、操作されたボタンとこのカーソル位置とに応じた処理が実行される。例えば、リモコン３の画像回転ボタン７６が操作されたときは、カーソルが表紙位置の場合の上記ステップＳ９２における画像回転動作であれば、レジスタｃｙの値とレジスタａとの値より、（ｃｙ＋ａ）番目のディレクトリ内の全ての画像ファイルの画像を時計回りに９０°回転させ、また、カーソルが画像位置の場合の上記ステップＳ６２における画像回転動作であれば、レジスタｃｘ，ｃｙの値とレジスタａ，ｂとの値より、（ｃｙ＋ａ）番目のディレクトリ内の（ｃｘ＋ｂ）番目の一つの画像ファイルの画像を時計回りに９０°回転させることになる。
【００８１】
以上実施の形態に基づいて本発明を説明したが、本発明は上述した実施の形態に限定されるものではなく、本発明の要旨の範囲内で種々の変形や応用が可能なことは勿論である。
【００８２】
例えば、上記説明では、ディレクトリを示す表紙を各行の左端に配するようにしたが、右端であっても良い。あるいは、一つのディレクトリを列方向に表示するものとしたが、縦方向であっても良い。さらには、一つのディレクトリを１列としたが、２列とすることもできる。
【００８３】
また、上記説明では、マルチインデックス表示時のディレクトリ間コピーを説明したが、移動も同様にして行えることは勿論である。
さらに、上記説明では、リモコン３のボタン数の制限により、いくつかの操作においては、メニュー表示上で選択操作する必要が有ったが、より大型のボタン数の多いリモコンを適用すれば、メニュー選択を無くすことも可能である。
【００８４】
また、ディジタル画像編集システムにおける専用の画像編集装置７に本発明を適用した場合を説明したが、本発明は、パーソナルコンピュータ等のアプリケーションプログラムとしても実施可能なことは勿論である。
【００８５】
【発明の効果】
以上詳述したように、請求項１に記載の発明によれば、記録媒体のＮ個のディレクトリからそれぞれＭ個（Ｍは２以上の整数）の画像ファイルを読出して、このＮ×Ｍ個の画像ファイルそれぞれの縮小画像を二次元に配置してディレクトリ毎に当該ディレクトリ内の画像ファイルの個数を示す表紙を付加して表示し、カーソルが表示画面の端部に表示された縮小画像上で、リモコンにより画面外となる方向のカーソル移動操作がなされた場合には、そのカーソル移動方向に応じて１ディレクトリ又は１画像ファイルだけスクロールした新たなＮ×Ｍ個の縮小画像を上記表示画面に表示させ、また、カーソルが表紙上または縮小画像上で、リモコンにより画像回転操作がなされたときには、当該表紙に対応するＭ個の縮小画像全部または当該カーソル位置の縮小画像を９０度回転させて上記表示画面に表示させるようにしているので、複数のディレクトリに分けて保存された複数ファイルの中から所望のファイルを容易に探し出せるような表示を行えるようになる。また、ディレクトリ間にまたがった画像ファイルのコピー等の機能にも発展させることが可能である。
【００８６】
また、請求項２に記載の発明によれば、上記Ｍ個の画像ファイルの縮小画像との対応関係が判別可能な状態で、上記二次元配置の一部に当該ディレクトリの名称を表示するようにしているので、ディレクトリと画像ファイルの関係が容易に判別できる。また、そのディレクトリ名称部分を指定することで、当該ディレクトリ内の全てのファイルを一括選択するという機能にも発展させることができる。
【００８７】
また、請求項３に記載の発明によれば、リモコンの所定の操作に応答して、上記二次元配置で表示した複数のディレクトリの内の一つに対応する上記Ｎ個の画像ファイル以外の画像ファイルの追加読出しを行って、そのディレクトリ以外のディレクトリの画像ファイルの縮小画像に代えて、これら追加読出しした各画像ファイルの縮小画像を表示するようにしているので、従来のように一つのディレクトリ内のファイルのみを一覧表示したい場合にも容易に対応することができる。
【図面の簡単な説明】
【図１】本発明のディジタル画像編集装置を適用したディジタル画像編集システムの構成を示す図である。
【図２】図１に示すディジタル画像編集装置の外観斜視図である。
【図３】ディジタル画像編集装置の内部構成を示す機能ブロック図である。
【図４】メモリカードまたはＭＯディスクに記録された画像データが読み出されてテレビの画面に表示されるまでの過程を示す図である。
【図５】リモコンに設けられた各種のボタンを示す図である。
【図６】リモコンをテレビ操作用のリモコンの裏面に両面テープなどにより貼り合わせた状態を示す図である。
【図７】（Ａ）はディジタル画像編集装置の動作フローチャートであり、（Ｂ）は電源オン時の初期画面としてのアイコン表示を示す図である。
【図８】図７中のデジタルカメラ処理又はメモリカード処理の詳細を示すフローチャートである。
【図９】（Ａ）乃至（Ｄ）はそれぞれ表示例を示す図である。
【図１０】図８中のリモコン操作処理１を説明するためのフローチャートである。
【図１１】（Ａ）は図１０中のメニュー処理１のフローチャートであり、（Ｂ）は図１２中のメニュー処理２のフローチャートである。
【図１２】図８中のリモコン操作処理２を説明するためのフローチャートである。
【図１３】図７中のＭＯ処理の詳細を示すフローチャートである。
【図１４】（Ａ）及び（Ｂ）はそれぞれＭＯ処理中の表示例を示す図であり、（Ｃ）は図１３中のメニュー選択処理を説明するためのフローチャートである。
【図１５】ＭＯディスクの階層的なディレクトリ構造を説明するための図である。
【図１６】図１３中のＭＯディスク内画像データ取得処理及びマルチインデックス処理の詳細を説明するための一連のフローチャートの前半部分を示す図である。
【図１７】図１３中のＭＯディスク内画像データ取得処理及びマルチインデックス処理の詳細を説明するための一連のフローチャートの後半部分を示す図である。
【図１８】マルチインデックス表示時の（ｘ，ｙ）を説明するための図である。
【符号の説明】
１  ディジタルカメラ
２  メモリカード
３  リモコン
４  テレビ
５  電子アルバム装置
６  プリンタ
７  ディジタル画像編集装置
３４  ＣＰＵ
３５  ＲＯＭ
３６  ＪＰＥＧ伸長ＩＣ
３７  ＲＡＭ
３８  メモリカードインタフェース
３９  ＳＣＳＩコントローラ
４０  ビデオコントローラ
【図１】
0004142164.tif 000002
【図２】
0004142164.tif 000003
【図３】
0004142164.tif 000004
【図４】
0004142164.tif 000005
【図５】
0004142164.tif 000006
【図６】
0004142164.tif 000007
【図７】
0004142164.tif 000008
【図８】
0004142164.tif 000009
【図９】
0004142164.tif 000010
【図１０】
0004142164.tif 000011
【図１１】
0004142164.tif 000012
【図１２】
0004142164.tif 000013
【図１３】
0004142164.tif 000014
【図１４】
0004142164.tif 000015
【図１５】
0004142164.tif 000016
【図１６】
0004142164.tif 000017
【図１７】
0004142164.tif 000018
【図１８】
0004142164.tif 000019